(57)【要約】【課題】イモビライザのまるごとの交換による車両の盗難を低減すること。【解決手段】車両に搭載され、該車両の制御を行う通信装置と通信を行う盗難防止装置に、車両の作動を許可するか否かを判断する作動判断手段と、作動判断手段により作動が許可された場合に、前記通信装置に対して作動を許可する信号を無線により送信する通信手段とを有する。通信手段は、該盗難防止装置が搭載される位置以外の位置に設置された場合に、通信装置と通信できないように構成される。【選択図】図２
2009161147.tif 000002
【特許請求の範囲】
【請求項１】
車両に搭載され、該車両の制御を行う通信装置と通信を行う盗難防止装置であって、
前記車両の作動を許可するか否かを判断する作動判断手段と、
前記作動判断手段により作動が許可された場合に、前記通信装置に対して作動を許可する信号を無線により送信する通信手段と
を有し、
前記通信手段は、該盗難防止装置が搭載される位置以外の位置に設置された場合に、前記通信装置と通信できないことを特徴とする盗難防止装置。
【請求項２】
請求項１に記載の盗難防止装置において、
前記通信手段は、該盗難防止装置が搭載される位置に設置された場合に、前記通信装置からの信号を受信できることを特徴とする盗難防止装置。
【請求項３】
請求項１又は２に記載の盗難防止装置において、
前記通信手段は、電波、光及び超音波のいずれか１つにより通信を行うことを特徴とする盗難防止装置。
【請求項４】
請求項１ないし３のいずれか１項に記載の盗難防止装置において、
前記通信手段は、電力伝送を行うことを特徴とする盗難防止装置。
【請求項５】
車両に搭載され、該車両の制御を行う通信装置と、該通信装置と通信を行う盗難防止装置とを有する車両セキュリティシステムであって、
前記盗難防止装置は、
前記車両の作動を許可するか否かを判断する作動判断手段と、
前記作動判断手段により作動が許可された場合に、前記通信装置に対して作動を許可する信号を無線により送信する通信手段と
を有し、
前記通信手段は、該盗難防止装置が搭載される位置以外の位置に設置された場合に、前記通信装置と通信できないことを特徴とする車両セキュリティシステム。
【発明の詳細な説明】
【技術分野】
【０００１】
本発明は、車両の盗難防止に用いられる車両セキュリティシステム、特に盗難防止装置及び車両セキュリティシステムに関する。
【背景技術】
【０００２】
車両の盗難を防止するシステムとして、電子的なキーの照合によって、不正なキーや不正侵入によるエンジン始動を防ぐためのイモビライザが開発されている。不正なキーには、不正に作られた合鍵などが含まれる。
【０００３】
このイモビライザでは、通信機能を有するキーとの通信によってキーＩＤの照合が行われ、正当なキーＩＤである場合にエンジンの始動を許可する。例えば、イモビライザには、イモビライザＥＣＵ（Electronic  Control  Unit）が含まれる。イモビライザは、キーに内蔵されるトランスポンダから無線によって送られてくるキーＩＤの正当性を検査する。このイモビライザＥＣＵには、例えば、エンジンの始動を制御するエンジン制御部（ＥＣＵ）が接続される。この場合、イモビライザＥＣＵは、キーＩＤの照合の結果、正当なキーでないことを判断した場合は、その旨を表すＮＧ信号をエンジンＥＣＵに送信する。エンジンＥＣＵは、イモビライザＥＣＵからＮＧ信号を受信すると、エンジンへの燃料供給を阻止するととともに、点火装置による点火を禁止する。これにより、エンジンの始動が禁止され、盗難が防止される。キーＩＤは、暗号化技術を使って膨大な組み合わせの中から決定されるので、現在、複製は不可能とされている。
【特許文献１】特開２００６−２２４８５８号公報
【発明の開示】
【発明が解決しようとする課題】
【０００４】
しかしながら、上述した背景技術には以下の問題がある。
【０００５】
イモビライザＥＣＵとエンジンＥＣＵとの間の通信を含むＥＣＵ間の通信は、Ｗ／Ｈ（ワイヤー／ハーネス）を用いて行われる。しかし、特に、イモビライザＥＣＵにおいては、そのＷ／Ｈを狙われ、該Ｗ／Ｈが該イモビライザＥＣＵから切り離され、切り離されたＷ／Ｈと予め用意された偽のイモビライザＥＣＵに接続される問題がある。例えば、図１に示すように、イモビライザＥＣＵは、コネクタを介してＷ／Ｈと接続される。該イモビライザＥＣＵからコネクタが外され、該コネクタに繋がるＷ／Ｈを引っ張り出すことにより、該Ｗ／Ｈを偽のイモビライザＥＣＵに接続することができる。この場合、偽のイモビライザＥＣＵが、正規の搭載位置に設置される必要はない。
【０００６】
このような、イモビライザのまるごとの交換による車両の盗難を防止できる車両セキュリティシステムが開示されている（例えば、特許文献１参照）。この車両セキュリティシステムでは、マスタとして動作するジャンクションブロックＥＣＵのインテリジェントプラグは、認証用ＩＤを発生してスレーブとして動作するイモビライザＥＣＵのインテリジェントプラグ及びキーレスＥＣＵのインテリジェントプラグに送信しておく。イグニッションスイッチの投入時にイモビライザＥＣＵ及びキーレスＥＣＵに機器認証要求を送信し、この機器認証要求に応答して、認証用ＩＤに基づき正当性を検査したインテリジェントプラグ及びインテリジェントプラグから正当性がないことを表す機器認証結果を受信した場合に該インテリジェントプラグ及びインテリジェントプラグにそれぞれ嵌合するインテリジェントレセプタクル及びインテリジェントレセプタクルにイモビライザに対するアラーム信号を出力させる。
【０００７】
また、従来の無線通信では、該通信に必要な電力を電池でまかなうか、イモビライザのトランスポンダにおける通信のように必要な電力をも無線で供給する必要があった。しかし、イモビライザの通信のように比較的長い間、通信を監視するシステムには不向きであった。
【０００８】
本発明は、上述した問題点のうち少なくとも１つを解消するめになされたものであり、イモビライザのまるごとの交換による車両の盗難を低減することができる車両セキュリティシステムを提供することにある。
【課題を解決するための手段】
【０００９】
上記課題を解決するため、この盗難防止装置は、
車両に搭載され、該車両の制御を行う通信装置と通信を行う盗難防止装置であって、
前記車両の作動を許可するか否かを判断する作動判断手段と、
前記作動判断手段により作動が許可された場合に、前記通信装置に対して作動を許可する信号を無線により送信する通信手段と
を有し、
前記通信手段は、該盗難防止装置が搭載される位置以外の位置に設置された場合に、前記通信装置と通信できないことを要件とする。
【００１０】
このように構成することにより、盗難防止装置が正規の搭載位置に設置された場合のみに、通信装置との通信を可能にする。例えば、盗難防止装置はイモビライザＥＣＵにより構成され、通信装置はエンジンＥＣＵにより構成される。イモビライザＥＣＵが取り外され、偽のイモビライザＥＣＵに交換された場合にも、エンジンＥＣＵと通信を行わせるためには、偽のイモビライザＥＣＵを正規の搭載位置に設置する必要があるため、車両盗難にかかる時間を長くすることができる。
【００１１】
また、別の構成では、
前記通信手段は、該盗難防止装置が搭載される位置に設置された場合に、前記通信装置からの信号を受信できるように構成される。
【００１２】
このように構成することにより、盗難防止装置が正規の搭載位置に設置されない限りは、通信装置との通信をできないようにできる。例えば、盗難防止装置はイモビライザＥＣＵにより構成され、通信装置はエンジンＥＣＵにより構成される。イモビライザＥＣＵが取り外され、偽のイモビライザＥＣＵに交換された場合にも、エンジンＥＣＵからの信号を受信させるためには、偽のイモビライザＥＣＵを正規の搭載位置に設置する必要があるため、車両盗難にかかる時間を長くすることができる。
【００１３】
また、別の構成では、
前記通信手段は、電波、光及び超音波のいずれか１つにより通信を行うように構成される。
【００１４】
このように構成することにより、盗難防止装置と通信装置とを無線により通信させることができる。
【００１５】
また、別の構成では、
前記通信手段は、電力伝送を行うように構成される。
【００１６】
このように構成することにより、盗難防止装置に電力を供給するためのワイヤーハーネスを削減できる。
【００１７】
この車両セキュリティシステムは、
車両に搭載され、該車両の制御を行う通信装置と、該通信装置と通信を行う盗難防止装置とを有する車両セキュリティシステムであって、
前記盗難防止装置は、
前記車両の作動を許可するか否かを判断する作動判断手段と、
前記作動判断手段により作動が許可された場合に、前記通信装置に対して作動を許可する信号を無線により送信する通信手段と
を有し、
前記通信手段は、該盗難防止装置が搭載された位置以外の位置に設置された場合に、前記通信装置と通信できないことを要件とする。
【００１８】
このように構成することにより、盗難防止装置が正規の搭載位置に設置された場合のみに、通信装置と通信を可能にする。例えば、盗難防止装置はイモビライザＥＣＵにより構成され、通信装置はエンジンＥＣＵにより構成される。イモビライザＥＣＵが取り外され、偽のイモビライザＥＣＵに交換された場合にも、エンジンＥＣＵと通信を行わせるためには、偽のイモビライザＥＣＵを正規の搭載位置に設置する必要があるため、車両盗難にかかる時間を長くすることができる。
【発明の効果】
【００１９】
開示の車両セキュリティシステムによれば、イモビライザのまるごとの交換による車両の盗難を低減することができる。
【発明を実施するための最良の形態】
【００２０】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００２１】
（第１の実施例）
本発明の実施例に係る車両セキュリティシステムについて、図２を参照して説明する。
【００２２】
本実施例に係る車両セキュリティシステム１０００は、例えば、自動車内ＬＡＮの通信プロトコルに従って通信を行う複数の盗難防止関連の通信装置を備える。例えば、自動車内ＬＡＮの通信プロトコルとして、ＣＡＮ(Controller  Area  Network)が適用されるようにしてもよい。各通信装置は、例えば、自動車の各部を制御する複数の電子制御ユニット(Electronic  Control  Unit)（以下、ECUと呼ぶ）により構成される。
【００２３】
本実施例では、盗難防止関連の通信装置の一例として、イモビライザＥＣＵについて説明するが、他の盗難防止関連のＥＣＵ、言い換えれば盗難防止装置に適用してもよい。この場合、各ＥＣＵは、該各ＥＣＵの有する機能に従って動作する。
【００２４】
イモビライザＥＣＵ１００は、通信部１０２と、コネクタ１０４と、作動判断手段としてのＣＰＵ１０６とを備える。
【００２５】
ＣＰＵ１０６は、キーがキーシリンダに挿入された場合に、該キーシリンダと通信を行い、該キーのＩＤコードの照合を行う。ＣＰＵ１０６は、該照合の結果、該キーのＩＤコードが正規のＩＤコードと一致した場合には車両の作動を許可すると判断し、該キーのＩＤコードが正規のＩＤコードと一致しない場合には車両の作動を許可すると判断しない。
【００２６】
通信部１０２は、他の搭載部品（通信装置）の有する送受信装置２００との間で無線通信を行う。通信部１０２は、送受信装置２００との通信を暗号化して行うようにしてもよい。また、通信部１０２は、通信を送受信装置２００との間のエリアに限定するようにしてもよい。このようにすることにより、通信部１０２は、自イモビライザＥＣＵ１００が正規の搭載位置に配置された場合に、他の搭載部品の有する送受信装置２００と通信できる。言い換えれば、通信部１０２は、イモビライザＥＣＵ１００が正規の搭載位置以外の位置に設置された場合には、他の搭載部品の有する送受信装置２００と通信できない。
【００２７】
具体的には、通信部１０２は、電波、光、超音波などにより無線通信を行う。また、通信部１０２は、その最大通信エリアを、自イモビライザＥＣＵ１００が正規の搭載位置に設置された場合において、送受信装置２００と通信可能なエリアに限定するようにしてもよい。例えば、通信部１０２は、電波により通信を行うように構成された場合には、電波出力を弱めることで、最大通信エリアを限定する。また、該エリアより電波が漏れないようにシールドするようにしてもよい。また、例えば、光により通信を行うように構成された場合には、光軸が、該エリアより外に漏れないようにブロックなどで隠すようにしてもよい。この場合、ガードブロックを用いるようにしてもよい。また、例えば、超音波により通信を行うように構成された場合には、吸音材などを使用して超音波を逃がさないようにするようにしてもよい。
【００２８】
例えば、他の搭載部品がエンジンＥＣＵである場合について説明する。エンジンＥＣＵは、エンジンへの燃料供給及び点火制御を行う。イモビライザＥＣＵ１００のＣＰＵ１０２はキー照合に成功した場合には、イモビライザＥＣＵ１００とエンジンＥＣＵは、所定のコードのやりとりを行う。このコードのやりとりが成功した場合に、エンジンＥＣＵがエンジンの点火及び燃料噴射を許可する。これによって、エンジンの始動が可能になる。
【００２９】
コネクタ１０４は、電源供給の電線が接続される。該電源により、イモビライザＥＣＵ１００に電力が供給される。
【００３０】
イモビライザＥＣＵ１００が取り外され、偽のイモビライザＥＣＵに交換された場合に、該偽のイモビライザＥＣＵが正規の搭載位置に設置されない限り、他の搭載部品に含まれる送受信装置２００と通信をできないようにする観点からは、他の搭載部品に含まれる送受信装置２００の通信エリアを、イモビライザＥＣＵ１００が正規の搭載位置に設置された場合に、該他の搭載部品に含まれる送受信装置２００からの信号を受信できるように構成されるのが好ましい。すなわち、送受信装置２００の送信距離が制限される。
【００３１】
このように構成することにより、イモビライザＥＣＵ１００が取り外され、偽のイモビライザＥＣＵに交換された場合にも、該偽のイモビライザＥＣＵに送受信装置２００と通信を行わせるためには、正規の搭載位置に設置する必要がある。言い換えれば、偽のイモビライザＥＣＵを正規の搭載位置に設置しない限りは車両を作動させることができない。従って、盗難に時間がかかり、盗難を断念させることができる。
【００３２】
本実施例によれば、イモビライザＥＣＵのコネクタを外して、偽のイモビライザＥＣＵを接続することなどによるイモビライザの無効化に対して、該イモビライザＥＣＵとの通信を無線化する。さらに、該イモビライザＥＣＵとの通信エリアを正規の搭載位置に限定する。このようにすることにより、イモビライザＥＣＵ１００を取り外し、偽のイモビライザＥＣＵに交換し、コネクタを接続しただけでは車両を動作させることはできない。また、イモビライザＥＣＵ１００が取り外され、偽のイモビライザＥＣＵに交換された場合にも、車両を作動させるには、偽のイモビライザＥＣＵを正規の搭載位置に設置する必要があるため、車両盗難にかかる時間を長くすることができるため、該車両の盗難を断念させることができ、車両盗難を減少させることができる。
【００３３】
（第２の実施例）
本発明の他の実施例に係る車両セキュリティシステムについて、図３を参照して説明する。
【００３４】
本実施例に係る車両セキュリティシステムでは、上述した実施例において、通信に必要な電力の伝送をも無線で行うようにしたものである。
【００３５】
本実施例に係るイモビライザＥＣＵ１００は、通信部１０８と、ＣＰＵ１０６とを備える。
【００３６】
ＣＰＵ１０６は、上述した実施例と同様に、キーがキーシリンダに挿入された場合に、該キーシリンダと通信を行い、該キーのＩＤコードの照合を行う。ＣＰＵ１０６は、該照合の結果、該キーのＩＤコードが正規のＩＤコードと一致した場合には車両の作動を許可すると判断し、該キーのＩＤコードが正規のＩＤコードと一致しない場合には車両の作動を許可すると判断しない。
【００３７】
通信部１０８は、他の搭載部品（通信装置）の有する送受信装置２００との間で無線通信を行う。通信部１０８は、送受信装置２００との通信を暗号化して行うようにしてもよい。また、通信部１０８は、通信を送受信装置２００との間のエリアに限定するようにしてもよい。また、通信部１０８は、他の搭載部品の有する送受信装置２００との間で通信に必要な電力の伝送を行う。
【００３８】
具体的には、通信部１０８は、電力伝送用の送受信機と、通信用の送受信機とにより構成される。通信用の送受信機は、上述した実施例の通信部１０２と同様に構成されてもよい。具体的には、通信部１０２は、電波、光、超音波などにより無線通信を行う。また、通信部１０２は、その最大通信エリアを、自イモビライザＥＣＵ１００が正規の搭載位置に設置された場合において、送受信装置２００と通信可能なエリアに限定するようにしてもよい。例えば、通信部１０２は、電波により通信を行うように構成された場合には、電波出力を弱めることで、最大通信エリアを限定する。また、該エリアより電波が漏れないようにシールドするようにしてもよい。また、例えば、光により通信を行うように構成された場合には、光軸が、該エリアより外に漏れないようにブロックなどで隠すようにしてもよい。この場合、ガードブロックを用いるようにしてもよい。また、例えば、超音波により通信を行うように構成された場合には、吸音材などを使用して超音波を逃がさないようにするようにしてもよい。
【００３９】
例えば、他の搭載部品がエンジンＥＣＵである場合について説明する。エンジンＥＣＵは、エンジンへの燃料供給及び点火制御を行う。イモビライザＥＣＵ１００のＣＰＵ１０２はキー照合に成功した場合には、イモビライザＥＣＵ１００とエンジンＥＣＵは、所定のコードのやりとりを行う。このコードのやりとりが成功した場合に、エンジンＥＣＵがエンジンの点火及び燃料噴射を許可する。これによって、エンジンの始動が可能になる。
【００４０】
電力伝送用の送受信機は、電源供給を受ける。該電源により、イモビライザＥＣＵ１００に電力が供給される。例えば、電力伝送用の送受信機は、電力供給装置から供給される電源（電圧）を受信するようにしてもよい。
【００４１】
第１の実施例と同様に、イモビライザＥＣＵ１００が取り外され、偽のイモビライザＥＣＵに交換された場合に、該偽のイモビライザＥＣＵが正規の搭載位置に設置されない限り、他の搭載部品に含まれる送受信装置２００と通信をできないようにする観点からは、他の搭載部品に含まれる送受信装置２００の通信エリアを、イモビライザＥＣＵ１００が正規の搭載位置に設置された場合に、該他の搭載部品に含まれる送受信装置２００からの信号を受信できるように構成されるのが好ましい。すなわち、送受信装置２００の送信距離が制限される。
【００４２】
このように構成することにより、イモビライザＥＣＵ１００が取り外され、偽のイモビライザＥＣＵに交換された場合にも、該偽のイモビライザＥＣＵに送受信装置２００と通信を行わせるためには、正規の搭載位置に設置する必要がある。言い換えれば、偽のイモビライザＥＣＵを正規の搭載位置に設置しない限りは車両を作動させることができない。従って、盗難に時間がかかり、盗難を断念させることができる。
【００４３】
本実施例によれば、イモビライザＥＣＵのコネクタを外して、偽のイモビライザＥＣＵを接続することなどによるイモビライザの無効化に対して、該イモビライザＥＣＵとの通信を無線化する。さらに、該イモビライザＥＣＵとの通信エリアを正規の搭載位置に限定する。さらに、通信部１０８を、通信用の送受信機と電力伝送用の送受信機とにより構成し、電力伝送用の送受信機により、電源供給を受ける。このようにすることにより、イモビライザＥＣＵ１００を取り外し、偽のイモビライザＥＣＵに交換し、コネクタを接続しただけでは車両を動作させることはできない。また、イモビライザＥＣＵ１００が取り外され、偽のイモビライザＥＣＵに交換された場合にも、車両を作動させるには、偽のイモビライザＥＣＵを正規の搭載位置に設置する必要があるため、車両盗難にかかる時間を長くすることができるため、該車両の盗難を断念させることができ、車両盗難を減少させることができる。また、通信部１０８により電力伝送を行うようにしたことにより、電力伝送用のＷ／Ｈを削減できる。
【００４４】
説明の便宜上、発明の理解を促すため具体的な数値例を用いて説明されるが、特に断りのない限り、それらの数値は単なる一例に過ぎず適切な如何なる値が使用されてよい。
【００４５】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【図面の簡単な説明】
【００４６】
【図１】イモビライザＥＣＵの搭載例を示す説明図である。
【図２】本発明の一実施例に係るイモビライザＥＣＵを示す説明図である。
【図３】本発明の一実施例に係るイモビライザＥＣＵを示す説明図である。
【符号の説明】
【００４７】
１００  イモビライザＥＣＵ
１０２  通信部
１０４  コネクタ
１０６  ＣＰＵ
１０８  通信部
２００  送受信装置
３００  Ｗ／Ｈ（ワイヤーハーネス）
１０００  車両セキュリティシステム
【図１】
2009161147.tif 000003
【図２】
2009161147.tif 000004
【図３】
2009161147.tif 000005